【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
インクと接触して高粘度化する反応液を中間転写体上に付与する反応液付与工程と、
前記反応液が付与された前記中間転写体上にインクを付与して中間画像を形成する中間画像形成工程と、
前記中間画像上に水溶性樹脂を含有する補助液を付与して中間画像層を形成する補助液付与工程と、
前記中間画像層を記録媒体に転写する転写工程と、
をこの順で含む記録方法であって、
前記反応液、前記インクおよび前記補助液からなる群から選択される少なくとも一つが下記式（１）で表される化合物を含み、
前記反応液が下記式（１）で表される化合物以外の曇点を有する界面活性剤Ａを含み、
前記転写工程において、前記中間画像層の前記記録媒体との接触時の温度が前記界面活性剤Ａの曇点以上かつ前記水溶性樹脂のガラス転移点以上であり、かつ前記中間画像層の前記中間転写体からの剥離時の温度が前記水溶性樹脂のガラス転移点未満であることを特徴とする記録方法。
【化１】
2016083934.tif 000001
（式（１）において、ｗ、ｘは２価の有機基である。ａ、ｂは水素または１価の有機基である。ｎ、ｌは１以上であり、ｎ＋ｌは２以上３００以下である。ｍは１以上７０以下である。ｐ、ｑは０または１である。）
【請求項２】
前記反応液の前記中間転写体との静的接触角が２０°以下である請求項１に記載の記録方法。
【請求項３】
前記転写工程において、前記中間画像層の前記記録媒体との接触時の温度と、前記水溶性樹脂のガラス転移点との差が０℃以上３５℃以下である請求項１又は２に記載の記録方法。
【請求項４】
前記水溶性樹脂の重量平均分子量が２０００以上１００００以下である請求項１から３のいずれか１項に記載の記録方法。
【請求項５】
前記界面活性剤Ａが、前記反応液付与工程において前記反応液を前記中間転写体に対して均一に塗布できる成分である請求項１から４のいずれか１項に記載の記録方法。
【請求項６】
前記界面活性剤Ａがフッ素原子を含む界面活性剤である請求項１から５のいずれか１項に記載の記録方法。
【請求項７】
前記補助液付与工程の後であって前記転写工程の前に、前記中間画像層を乾燥する乾燥工程を含む請求項１から６のいずれか１項に記載の記録方法。
【請求項８】
前記反応液は多価金属イオンまたは有機酸を含有する請求項１から７のいずれか１項に記載の記録方法。
【請求項９】
前記式（１）において、ｎ、ｌは１以上７５以下である請求項１から８のいずれか１項に記載の記録方法。
【請求項１０】
前記式（１）において、ｎ＋ｌは２以上１５０以下である請求項１から９のいずれか１項に記載の記録方法。
【請求項１１】
前記式（１）において、ｍは１以上６０以下である請求項１から１０のいずれか１項に記載の記録方法。
【請求項１２】
前記式（１）において、ａ及びｂが水素であり、ｐ及びｑが０である請求項１から１１のいずれか１項に記載の記録方法。
【請求項１３】
前記インクは顔料を含有する請求項１から１２のいずれか１項に記載の記録方法。
【請求項１４】
前記水溶性樹脂のガラス転移点は４０℃以上１２０℃以下である請求項１から１３のいずれか１項に記載の記録方法。
【請求項１５】
前記水溶性樹脂の含有量は前記補助液の全質量に対して０．１質量％以上２０質量％以下である請求項１から１４のいずれか１項に記載の記録方法。
【請求項１６】
前記水溶性樹脂は、スチレン、スチレン誘導体、ビニルナフタレン、ビニルナフタレン誘導体、α，β−エチレン性不飽和カルボン酸の脂肪族アルコールエステル、アクリル酸、アクリル酸誘導体、マレイン酸、マレイン酸誘導体、イタコン酸、イタコン酸誘導体、フマル酸、フマル酸誘導体、酢酸ビニル、ビニルアルコール、ビニルピロリドン、及びアクリルアミドからなる群から選ばれる少なくとも二つ以上の単量体を共重合してなるブロック共重合体、ランダム共重合体、グラフト共重合体、またはこれらの塩である請求項１から１５のいずれか１項に記載の記録方法。
【請求項１７】
前記界面活性剤Ａの曇点は４０℃以上１００℃以下である請求項１から１６のいずれか１項に記載の記録方法。
【請求項１８】
前記補助液は前記式（１）で表される化合物を含む請求項１から１７のいずれか１項に記載の記録方法。
【請求項１９】
前記補助液中における前記式（１）で表される化合物の含有量は、前記補助液の全質量に対して、１質量％以上５質量％以下である請求項１８に記載の記録方法。
【請求項２０】
前記補助液は、前記中間画像の記録媒体への転写率を向上させるためのものである請求項１から１９のいずれか１項に記載の記録方法。
【請求項２１】
インクと接触して高粘度化する反応液を中間転写体上に付与する反応液付与手段と、
前記反応液が付与された前記中間転写体上にインクを付与して中間画像を形成する中間画像形成手段と、
前記中間画像上に水溶性樹脂を含有する補助液を付与して中間画像層を形成する補助液付与手段と、
前記中間画像層を記録媒体に転写する転写手段と、
を備える記録装置であって、
前記反応液、前記インクおよび前記補助液からなる群から選択される少なくとも一つが下記式（１）で表される化合物を含み、
前記反応液が下記式（１）で表される化合物以外の曇点を有する界面活性剤Ａを含み、
前記転写手段において、前記中間画像層の前記記録媒体との接触時の温度が前記界面活性剤Ａの曇点以上かつ前記水溶性樹脂のガラス転移点以上であり、かつ前記中間画像層の前記中間転写体からの剥離時の温度が前記水溶性樹脂のガラス転移点未満であることを特徴とする記録装置。
【化２】
2016083934.tif 000002
（式（１）において、ｗ、ｘは２価の有機基である。ａ、ｂは水素または１価の有機基である。ｎ、ｌは１以上であり、ｎ＋ｌは２以上３００以下である。ｍは１以上７０以下である。ｐ、ｑは０または１である。）
【手続補正２】
【補正対象書類名】明細書
【補正対象項目名】０００７
【補正方法】変更
【補正の内容】
【０００７】
本発明に係る記録方法は、インクと接触して高粘度化する反応液を中間転写体上に付与する反応液付与工程と、
前記反応液が付与された前記中間転写体上にインクを付与して中間画像を形成する中間画像形成工程と、
前記中間画像上に水溶性樹脂を含有する補助液を付与して中間画像層を形成する補助液付与工程と、
前記中間画像層を記録媒体に転写する転写工程と、
をこの順で含む記録方法であって、
前記反応液、前記インクおよび前記補助液からなる群から選択される少なくとも一つが下記式（１）で表される化合物を含み、
前記反応液が下記式（１）で表される化合物以外の曇点を有する界面活性剤Ａを含み、
前記転写工程において、前記中間画像層の前記記録媒体との接触時の温度が前記界面活性剤Ａの曇点以上かつ前記水溶性樹脂のガラス転移点以上であり、かつ前記中間画像層の前記中間転写体からの剥離時の温度が前記水溶性樹脂のガラス転移点未満であることを特徴とする。
【手続補正３】
【補正対象書類名】明細書
【補正対象項目名】００１０
【補正方法】変更
【補正の内容】
【００１０】
本発明に係る記録装置は、インクと接触して高粘度化する反応液を中間転写体上に付与する反応液付与手段と、
前記反応液が付与された前記中間転写体上にインクを付与して中間画像を形成する中間画像形成手段と、
前記中間画像上に水溶性樹脂を含有する補助液を付与して中間画像層を形成する補助液付与手段と、
前記中間画像層を記録媒体に転写する転写手段と、
を備える記録装置であって、
前記反応液、前記インクおよび前記補助液からなる群から選択される少なくとも一つが前記式（１）で表される化合物を含み、
前記反応液が前記式（１）で表される化合物以外の曇点を有する界面活性剤Ａを含み、
前記転写手段において、前記中間画像層の前記記録媒体との接触時の温度が前記界面活性剤Ａの曇点以上かつ前記水溶性樹脂のガラス転移点以上であり、かつ前記中間画像層の前記中間転写体からの剥離時の温度が前記水溶性樹脂のガラス転移点未満であることを特徴とする。
【手続補正４】
【補正対象書類名】明細書
【補正対象項目名】００１３
【補正方法】変更
【補正の内容】
【００１３】
〔記録方法〕
本発明に係る記録方法は、インクと接触して高粘度化する反応液を中間転写体上に付与する反応液付与工程と、前記反応液が付与された前記中間転写体上にインクを付与して中間画像を形成する中間画像形成工程とを含む。また、該方法は、前記中間画像上に水溶性樹脂を含有する補助液を付与して中間画像層を形成する補助液付与工程と、前記中間画像層を記録媒体に転写する転写工程とを含む。これらの工程は、記載順序で含まれる。前記反応液、前記インクおよび前記補助液からなる群から選択される少なくとも一つは下記式（１）で表される化合物を含む。前記反応液は下記式（１）で表される化合物以外の曇点を有する界面活性剤Ａを含む。前記転写工程において、前記中間画像層の前記記録媒体との接触時の温度は前記界面活性剤Ａの曇点以上かつ前記水溶性樹脂のガラス転移点以上であり、かつ前記中間画像層の前記中間転写体からの剥離時の温度は前記水溶性樹脂のガラス転移点未満である。
【手続補正５】
【補正対象書類名】明細書
【補正対象項目名】００１６
【補正方法】変更
【補正の内容】
【００１６】
前記式（１）で表される化合物は界面活性剤であり、前記補助液に含まれる水溶性樹脂との間で水素結合を形成する。これにより、中間画像層において、前記式（１）で示される化合物と水溶性樹脂との間に分子間相互作用が生じ、水溶性樹脂を介した集合体が形成され、中間画像層が増粘する。その結果、転写工程において、中間画像層と記録媒体との間の密着力が、中間画像層と中間転写体との間の密着力よりも十分に大きくなり、記録媒体として低平滑性の記録用紙を用いた場合にも、中間画像が記録媒体に対して効率よく転写される。また、反応液に含まれる前記式（１）で表される化合物以外の曇点を有する界面活性剤Ａは、その曇点以上に加熱されると水溶性樹脂との間の相互作用が低下する。その結果、該界面活性剤Ａによる、前記式（１）で示される化合物と水溶性樹脂との間の相互作用の阻害効果が低下し、転写効率が向上する。さらに、中間画像層の記録媒体との接触時の温度を水溶性樹脂のガラス転移点以上とすることで、水溶性樹脂の流動性が高まり、中間画像層と記録媒体との密着性が向上する。次いで、中間画像層の中間転写体からの剥離時の温度を水溶性樹脂のガラス転移点未満とすることで、水溶性樹脂がガラス状態となり、中間画像層と記録媒体との界面剥離が生じにくくなる。これらが総合的に記録媒体への画像転写の効率を向上させ、結果的にきわめて良好な記録を可能とする。以下、本発明に係る方法の詳細について説明する。
【手続補正６】
【補正対象書類名】明細書
【補正対象項目名】００２４
【補正方法】変更
【補正の内容】
【００２４】
また、本発明に係る方法では、反応液は、前記式（１）で表される化合物以外の曇点を有する界面活性剤Ａを含む。該界面活性剤Ａは、反応液を中間転写体に対して均一に塗布できる成分であることが好ましい。即ち、該界面活性剤Ａは、反応液を中間転写体の表面に塗布した際に得られる反応液の層の厚みを一定にできる成分であることが好ましい。また、該界面活性剤Ａは、反応液の中間転写体との静的接触角を２０°以下とする成分であることが好ましい。このような界面活性剤Ａとしては、フッ素原子を含む界面活性剤である含フッ素界面活性剤等が挙げられる。市販品では、例えばＦ−４４４（商品名、ＤＩＣ（株）製）、ＴＦ−２０６６（商品名、ＤＩＣ（株）製）、ＦＳ３１００（商品名、デュポン社製）等が挙げられる。該界面活性剤Ａの曇点は、４０℃以上１００℃以下であることが好ましい。なお、界面活性剤の曇点は後述する方法により測定した値である。反応液中の該界面活性剤Ａの含有量は、反応液全質量に対して０．０１質量％以上１０質量％以下が好ましく、１質量％以上５質量％以下がより好ましい。なお、該界面活性剤Ａの含有量により、反応液の表面張力や粘度も適宜調整することができる。
【手続補正７】
【補正対象書類名】明細書
【補正対象項目名】００５５
【補正方法】変更
【補正の内容】
【００５５】
中間画像層の記録媒体との接触時の温度は、反応液に含まれる前記式（１）で表される化合物以外の界面活性剤Ａの曇点以上かつ水溶性樹脂のガラス転移点以上である。また、中間画像層の中間転写体からの剥離時の温度は、水溶性樹脂のガラス転移点未満である。接触時に中間画像層の温度が、反応液に含まれる前記式（１）で表される化合物以外の界面活性剤Ａの曇点以上であることにより、該界面活性剤Ａによる、前記式（１）で示される化合物と水溶性樹脂との間の相互作用の阻害効果を低減でき、転写効率を向上させることができる。また、接触時に中間画像層の温度が水溶性樹脂のガラス転移点以上であることにより、水溶性樹脂の流動性が上昇し、記録媒体と中間画像層との密着性が向上する。次いで、剥離時に中間画像層の温度が水溶性樹脂のガラス転移点未満であることにより、水溶性樹脂がガラス状態となり、中間画像層と記録媒体との界面剥離が生じにくくなる。その結果、記録媒体への転写効率を向上させることができる。なお、中間画像層の記録媒体との接触時の温度とは、中間画像層の少なくとも一部が記録媒体に接触した時点での中間画像層の温度を示す。また、中間画像層の中間転写体からの剥離時の温度とは、中間画像層が全て記録媒体に転写された時点での中間画像層（画像）の温度を示す。また、中間画像層の温度は赤外放射温度計を用いて測定した値である。
【手続補正８】
【補正対象書類名】明細書
【補正対象項目名】００５６
【補正方法】変更
【補正の内容】
【００５６】
中間画像層の記録媒体との接触時の温度と、水溶性樹脂のガラス転移点との差は、０℃以上３５℃以下であることが好ましく、１０℃以上３５℃以下であることがより好ましい。また、中間画像層の記録媒体との接触時の温度と、反応液に含まれる前記式（１）で表される化合物以外の界面活性剤Ａの曇点との差は、１℃以上６０℃以下であることが好ましい。また、中間画像層の中間転写体からの剥離時の温度と、水溶性樹脂のガラス転移点との差は、５０℃以上１４０℃以下であることが好ましい。
【手続補正９】
【補正対象書類名】明細書
【補正対象項目名】００５９
【補正方法】変更
【補正の内容】
【００５９】
〔記録装置〕
本発明に係る記録装置は、インクと接触して高粘度化する反応液を中間転写体上に付与する反応液付与手段と、前記反応液が付与された前記中間転写体上にインクを付与して中間画像を形成する中間画像形成手段とを備える。また、該装置は、前記中間画像上に水溶性樹脂を含有する補助液を付与して中間画像層を形成する補助液付与手段と、前記中間画像層を記録媒体に転写する転写手段とを備える。前記反応液、前記インクおよび前記補助液からなる群から選択される少なくとも一つは、前記式（１）で表される化合物を含む。前記反応液は、前記式（１）で表される化合物以外の曇点を有する界面活性剤Ａを含む。前記転写手段において、前記中間画像層の前記記録媒体との接触時の温度は、前記界面活性剤Ａの曇点以上かつ前記水溶性樹脂のガラス転移点以上であり、かつ前記中間画像層の前記中間転写体からの剥離時の温度は、前記水溶性樹脂のガラス転移点未満である。反応液付与手段は反応液を備えることができる。中間画像形成手段はインクを備えることができる。補助液付与手段は補助液を備えることができる。本発明に係る記録装置によれば、本発明に係る記録方法を好適に実施することができる。以下、図１を用いて本発明に係る記録装置の一例を説明する。なお、本発明に係る記録装置は、図１に示される記録装置に限定されない。
【手続補正１０】
【補正対象書類名】明細書
【補正対象項目名】００６７
【補正方法】変更
【補正の内容】
【００６７】
中間転写体１０１は軸１０６を中心として矢印方向に回転駆動し、その回転と同期して、周辺に配置された各デバイスが作動する。図１では、反応液付与手段としてローラ式塗布装置１０５が配置されている。これにより反応液が中間転写体１０１の表面に連続的に付与される。ローラ式塗布装置１０５の下流には、中間画像形成手段としてインクジェットデバイス１０３が配置されている。インクジェットデバイス１０３から中間画像形成用のインクが吐出され、反応液が付与された中間転写体１０１上に中間画像が形成される。インクジェットデバイス１０３の下流には、補助液付与手段としてインクジェットデバイス１０７が配置されている。補助液吐出用のインクジェットデバイス１０７から中間画像上に補助液が吐出され、中間転写体１０１上に中間画像層が形成される。インクジェットデバイス１０７の下流には、中間画像を構成するインク中の液体分を減少させる目的で送風装置１１０が配置されている。これにより中間画像を構成するインク中の液体分が減少し、転写時の画像の乱れが抑制される。送風装置１１０の下流である画像転写部１３１には、中間転写体１０１上に形成されている中間画像層に、搬送ローラ１１４および搬送ガイド１０９により搬送される記録媒体１０８を接触させ、中間画像を転写させるための加圧ローラ１１３が転写手段として配置されている。中間転写体１０１と加圧ローラ１１３との間に、中間画像層と記録媒体１０８を挟み込むようにして加圧することで、効率良く記録媒体１０８に中間画像層を転写することができる。この時、中間画像層の記録媒体１０８との接触時の温度を、反応液に含まれる前記式（１）で表される化合物以外の界面活性剤Ａの曇点以上かつ水溶性樹脂のガラス転移点以上にする。また、中間画像層の中間転写体１０１からの剥離時の温度を水溶性樹脂のガラス転移点未満にする。以上により、記録媒体１０８に画像が記録される。
【手続補正１１】
【補正対象書類名】明細書
【補正対象項目名】００６９
【補正方法】変更
【補正の内容】
【００６９】
［実施例１］
（反応液の調製）
グルタル酸３０部、グリセリン７部、界面活性剤Ａ（商品名：Ｆ−４４４、ＤＩＣ（株）製、曇点８０℃）５部、およびイオン交換水５８部を混合し、十分攪拌した。その後、これをポアサイズ３．０μｍのミクロフィルター（富士フイルム製）にて加圧濾過することにより、反応液を調製した。なお、界面活性剤Ａの曇点は、界面活性剤Ａの１質量％水溶液を加熱することで測定した。また、反応液の中間転写体との静的接触角は１２°であった。該静的接触角は接触角計（商品名：ＣＡ−Ｗ、協和界面科学株式会社製）により測定した。
【手続補正１２】
【補正対象書類名】明細書
【補正対象項目名】００８２
【補正方法】変更
【補正の内容】
【００８２】
実施例１、２では、補助液が水溶性樹脂を含み、インクおよび補助液が前記式（１）で示される化合物を含む。また、中間画像層の記録媒体１０８との接触時の温度が、反応液に含まれる界面活性剤Ａの曇点以上、かつ水溶性樹脂のガラス転移点以上である。さらに、中間画像層の中間転写体１０１からの剥離時の温度が、水溶性樹脂のガラス転移点未満である。このため、中間画像層の増粘が効率よく進行し、高い転写率を示した。一方、比較例１では補助液が水溶性樹脂を含まないため、増粘作用が生じず、実施例１よりも転写率が低かった。また、比較例２では、反応液、インクおよび補助液のいずれも前記式（１）で示される化合物を含まないため、中間画像層の増粘が生じず、実施例１よりも転写率が低かった。
【手続補正１３】
【補正対象書類名】明細書
【補正対象項目名】００８３
【補正方法】変更
【補正の内容】
【００８３】
［実施例３］
補助液の調製時に用いる水溶性樹脂水溶液として、水溶性樹脂水溶液（メタクリル酸ベンジル−メタクリル酸ブチル−アクリル酸共重合体（酸価：８４、重量平均分子量：７，１００、ガラス転移点：５０℃）、固形分２０質量％、水酸化カリウムにて中和済み）を用いた。また、反応液に含まれる界面活性剤Ａとして、Ｆ−４４４（商品名、ＤＩＣ（株）製）の代わりにＴＦ−２０６６（商品名、ＤＩＣ（株）製、曇点５０℃）を用いた。また、中間画像層の記録媒体１０８との接触時の温度を６０℃に、中間画像層の中間転写体１０１からの剥離時の温度を３２℃にそれぞれ変更した。これら以外は実施例１と同様に画像の記録を行い、転写率を評価した。結果を表２に示す。
【手続補正１４】
【補正対象書類名】明細書
【補正対象項目名】００８６
【補正方法】変更
【補正の内容】
【００８６】
［実施例４］
補助液の調製時に用いる水溶性樹脂水溶液として、水溶性樹脂水溶液（スチレン−メタクリル酸ブチル−アクリル酸共重合体（酸価：８７、重量平均分子量：７，８００、ガラス転移点：６０℃）、固形分２０質量％、水酸化カリウムにて中和済み）を用いた。また、反応液に含まれる界面活性剤Ａとして、Ｆ−４４４（商品名、ＤＩＣ（株）製）の代わりにＴＦ−２０６６（商品名、ＤＩＣ（株）製、曇点５０℃）を用いた。また、中間画像層の記録媒体１０８との接触時の温度を６０℃に、中間画像層の中間転写体１０１からの剥離時の温度を３２℃にそれぞれ変更した。これら以外は実施例１と同様に画像の記録を行い、転写率を評価した。結果を表３に示す。